(57)【要約】【課題】爪を折り曲げるときに摩耗粉が発生しない金属製保持器を提供する。【解決手段】リング状で円周方向に等間隔に半格納部１３を形成した金属製の第１保持板１１と、リング状で円周方向に等間隔に半格納部２３を形成しこれら半格納部２３間に爪２４を形成した金属製の第２保持板２１とからなり、爪２４に対し進退する折り曲げ金具３０によって爪を折り曲げ、第１保持板１１を第２保持板２１および爪２４とで挟持し、互いに向かい合う２つの半格納部１３、２３内にポケット１９を形成し、このポケット１９に玉４０を回転可能に保持した金属製保持器１０において、爪２４の折り曲げ金具３０に当接する部分に、固体潤滑剤からなるコーティング層２５を設けた。【選択図】  図２
2013224706.tif 000002
【特許請求の範囲】
【請求項１】
リング状で円周方向に等間隔に半格納部を形成した金属製の第１保持板と、リング状で円周方向に等間隔に半格納部を形成しこれら半格納部間に爪を形成した金属製の第２保持板とからなり、前記爪に対し進退する折り曲げ金具によって前記爪を折り曲げ、前記第１保持板を前記第２保持板および前記爪とで挟持し、互いに向かい合う２つの半格納部内にポケットを形成し、このポケットに玉を回転可能に保持した金属製保持器において、
前記爪の前記折り曲げ金具に当接する部分に、固体潤滑剤からなるコーティング層を設けたことを特徴とする金属製保持器。
【請求項２】
前記コーティング層の固体潤滑剤は、半球格納部および玉間の潤滑に使用するグリースと同一の成分を有することを特徴とする請求項２に記載の金属製保持器。
【発明の詳細な説明】
【技術分野】
【０００１】
本発明は、互いに向かい合う２つの半格納部で玉を回転可能に保持した金属製保持器に関する。
【背景技術】
【０００２】
図６（特許文献１）に示すような玉軸受１００は、リング状の外輪１１０と、外輪１１０の内周側に配置されたリング状の内輪１２０と、外輪１１０および内輪１２０上を転動する玉１４０と、玉１４０を回転可能に保持する金属製保持器１３０とからなり、金属製保持器１３０として、球状部を円周方向に等間隔に配置した球状保持器を使用している。
【０００３】
この金属製保持器１３０は、上下をカットした球状部を有し、この球状部の内周に形成されたポケット１３９で玉１４０を回転可能に保持している。金属製保持器１３０は、リング状の第１波形保持板１３１と、第１波形保持板１３１と向かい合わせで配置されるリング状の第２波形保持板１３５とからなっている。第１波形保持板１３１は、円周方向に等間隔に配置された半球部１３２と、半球部１３２間に配置された平坦部１３３とからなっている。第２波形保持板１３５は、円周方向に等間隔に配置された半球部１３６と、半球部１３６間に配置された平坦部１３７と、平坦部１３７に一体形成された爪１３８とからなっている。進退する図略の折り曲げ金具によって爪１３８が折り曲げられ、第１波形保持板１３１を第２波形保持板１３５および爪１３８とで挟持することにより、第１波形保持板１３１および第２波形保持板１３５を一体化している。２つの半球部１３２、１３６で前記球状部が構成される。
【先行技術文献】
【特許文献】
【０００４】
【特許文献１】特開２０１２−４７１９７号公報
【発明の概要】
【発明が解決しようとする課題】
【０００５】
爪１３８に対して図略の折り曲げ金具で折り曲げ荷重を掛けながら滑らせることによって、爪１３８から摩耗粉が発生しやすく、この摩耗粉が玉軸受１００内に混入する問題があった。本発明は、上述した問題点を解決するためになされたもので、その目的とするところは、爪を折り曲げるときに摩耗粉が発生しない金属製保持器を提供する。
【課題を解決するための手段】
【０００６】
請求項１に記載の発明は、リング状で円周方向に等間隔に半格納部を形成した金属製の第１保持板と、リング状で円周方向に等間隔に半格納部を形成しこれら半格納部間に爪を形成した金属製の第２保持板とからなり、前記爪に対し進退する折り曲げ金具によって前記爪を折り曲げ、前記第１保持板を前記第２保持板および前記爪とで挟持し、互いに向かい合う２つの半格納部内にポケットを形成し、このポケットに玉を回転可能に保持した金属製保持器において、前記爪の前記折り曲げ金具に当接する部分に、固体潤滑剤からなるコーティング層を設けたことを特徴とするものである。
請求項１に記載の発明によれば、爪を折り曲げるときに摩耗粉が発生しない金属製保持器を提供することができる。
【０００７】
請求項２に記載の発明は、請求項１に記載の金属製保持器において、前記コーティング層の固体潤滑剤が、半格納部および玉間の潤滑に使用するグリースと同一の成分を有することを特徴とするものである。
請求項２に記載の発明によれば、コーティング層の固体潤滑剤が玉に落下しても、玉の潤滑に使用するグリースに悪影響を及ぼさない。
【発明の効果】
【０００８】
本発明によれば、コーティング層によって爪に対し折り曲げ金具を滑らかに滑らせることができ、爪を折り曲げるときに摩耗粉が発生しない。
【図面の簡単な説明】
【０００９】
【図１】本発明の実施形態を示すもので、爪を折り曲げる前の金属製保持器の正面図である。
【図２】本発明の実施形態における図１のＡ−Ａ線断面図である。
【図３】本発明の実施形態における図１のＣ矢視図である。
【図４】本発明の実施形態を示すもので、爪を折り曲げた後の金属製保持器の正面図である。
【図５】本発明の実施形態における図４のＢ−Ｂ線断面図である。
【図６】従来の玉軸受の断面図である。
【発明を実施するための形態】
【００１０】
本発明の実施形態について、図１ないし図５を参酌しつつ説明する。図１は、爪を折り曲げる前の金属製保持器の正面図であり、図２は、図１のＡ−Ａ線断面図であり、図３は、図１のＣ矢視図であり、図４は、爪を折り曲げた後の金属製保持器の正面図であり、図５は、図４のＢ−Ｂ線断面図である。
【００１１】
図１ないし図５に示す金属製保持器１０は、玉軸受に使用される。玉軸受は、リング状の図略の外輪と、外輪の内周側に配置されたリング状の図略の内輪と、外輪および内輪上を転動する玉４０と、玉４０を回転可能に保持する金属製保持器１０とからなり、金属製保持器１０として、球状部を円周方向に等間隔に配置した球状保持器を使用している。
【００１２】
図１ないし図３に示すように金属製保持器１０は、上下をカットした球状部を有し、この球状部の内周に形成されたポケット１９で玉４０を回転可能に保持している。金属製保持器１０は、リング状で金属製の第１波形保持板１１と、第１波形保持板１１と向かい合わせで配置されるリング状で金属製の第２波形保持板２１とからなっている。
【００１３】
第１波形保持板１１は、円周方向に等間隔に配置された半球形状の半球部１３と、半球部１３間に配置された平坦形状の平坦部１２とからなっている。半球部１３は、上下がカットされた形状を有する。第１波形保持板１１は、鉄系の材料が使用され、プレス金型によって、半球部１３および平坦部１２を同時に形成するとともに、内外周が打抜かれ、リング状に形成されるようになっている。
【００１４】
第２波形保持板２１は、円周方向に等間隔に配置された半球形状の半球部２３と、半球部２３間に配置された平坦形状の平坦部２２と、平坦部２２に一体形成された爪２４とからなっている。半球部２３は、上下がカットされた形状を有する。爪２４は、Ｒ状のＲ部２４ａと、金属製保持器１０の軸線に対し緩やかに傾斜した第１傾斜部２４ｂと、第１傾斜部２４ｂよりきつく傾斜した第２傾斜部２４ｃとからなっている。第２波形保持板２１は、鉄系の材料が使用され、プレス金型によって、半球部２３、平坦部２２および爪２４を同時に形成するとともに、内外周が打抜かれ、リング状に形成されるようになっている。爪２４をプレス金型で形成するときに、第１傾斜部２４ｂよりも傾斜した第２傾斜部２４ｃが形成されるようになっている。この後、別のプレス金型で爪２４を根元で折り曲げることによってＲ状のＲ部２４ａが形成されるようになっている。
【００１５】
第１傾斜部２４ｂおよび第２傾斜部２４ｃの表面に、固体潤滑剤からなるコーティング層２５が設けられている。このコーティング層２５は、ペースト状の潤滑剤、すなわちグリースを塗布し、グリース内に含まれている油の一部を蒸発させて固化させることによって作られる。
【００１６】
前記グリースは、油に増ちょう剤を混ぜたものが使用される。油として、鉱物油、部分合成油、化学合成油のいずれかが使用され、いずれも液体のものが使用される。増ちょう剤として、カルシウム石けん、アルミニウム石けん、ナトリウム石けん、リチウム石けん、カルシウムコンプレックス、アルミニウムコンプレックス、リチウムコンプレックス、芳香族ジウレア、脂肪族ジウレア、脂環族ジウレア、ＰＴＦＥのいずれかが使用される。これらのいずれかを油に混ぜると、ねり状のグリースができる。このグリースは玉軸受の潤滑剤として使用できる。
【００１７】
爪２４は、後述する第１折り曲げ金具３０によって折り曲げ、後述する第２折り曲げ金具３５によってさらに折り曲げられるようになっている。こうして、第１波形保持板１１の平坦部１２が、図３および図４に示すように第２波形保持板２１の平坦部２２および爪２４によって挟持されるようになっている。この挟持によって、第１波形保持板１１および第２波形保持板２１が一体化し、金属製保持器１０が構成される。
【００１８】
続いて上述した構成にもとづいて、玉軸受の組付けについて説明する。
【００１９】
図略の外輪および内輪間に玉４０を挿入し、これらの玉４０を円周方向に等間隔に配置する。外輪の軸方向の一方から外輪および内輪間へ第２波形保持板２１を挿入し、外輪の軸方向の他方から外輪および内輪間へ第１波形保持板１１を挿入する。こうして、玉４０は図１ないし図３に示すように２つの半球部１３、２３で挟持され、平坦部１２、２２が互いに密接する。
【００２０】
外輪の軸方向の他方から外輪および内輪間へ第１折り曲げ金具３０を挿入する（図２）。第１折り曲げ金具３０の先端の傾斜面３１がコーティング層２５に当接し、コーティング層２５は軟らかく流動性があるので逃げて傾斜面３１が第２傾斜部２４ｃの先端に当接する。さらに第１折り曲げ金具３０を外輪の軸方向に移動させると、爪２４がＲ部２４ａで折り曲がる。
【００２１】
第１折り曲げ金具３０を外輪および内輪間から離脱させ、代わりに第２折り曲げ金具３０を外輪および内輪間に挿入する。第２折り曲げ金具３５の先端の平坦面３６がコーティング層２５に当接し、コーティング層２５は軟らかく流動性があるので逃げて平坦面３６が第２傾斜部２４ｃに当接する。さらに第２折り曲げ金具３５を外輪の軸方向に移動させると、爪２４がＲ部２４ａでさらに折り曲がり、コーティング層２５を押し退けながら、平坦面３６が第１傾斜部２４ｂに当接する。またさらに第２折り曲げ金具３５を外輪の軸方向に移動させると、爪２４がＲ部２４ａでまたさらに折り曲がるとともに、第１傾斜部２４ｂおよび第２傾斜部２４ｃ間の傾きが無くなり、第１傾斜部２４ｂおよび第２傾斜部２４ｃが平坦部１２に当接する（図５）。こうして、平坦部１２が第２波形保持板２１の平坦部２２および爪２４とで挟持され、第１波形保持板１１および第２波形保持板２１が一体化した金属製保持器１０が製作される。
【００２２】
コーティング層２５が、第１折り曲げ金具３０の傾斜面３１および第２傾斜部２４ｃ間の潤滑の役目を果たし、第２折り曲げ金具３５の平坦面３６および第２傾斜部２４ｃ間の潤滑の役目を果たし、第２折り曲げ金具３５の平坦面３６および第１傾斜部２４ｂ間の潤滑の役目を果たすので、摩擦屑が発生しない。
【００２３】
また固体潤滑剤が、外輪および内輪間、あるいは玉４０上に落下しても、玉軸受の潤滑に使用するグリースとほぼ同一の材料であるので、グリースに悪影響を与えない。
【００２４】
本発明はこうした実施形態に何等限定されるものではなく、本発明の要旨を逸脱しない範囲において、種々なる態様で実施し得ることは勿論である。
【００２５】
上述した実施形態は、半格納部として、半球形状の半球部１３、２３を形成した。他の実施形態として、半格納部として、４つの平面を持つ半四角部であっても良い。この場合、隣り合う２つの平面は互いに直交し、各平面の1点で玉４０と接触している。
【符号の説明】
【００２６】
１０：金属製保持器、１１：第１波形保持板（第１保持板）、１２：平坦部、１３：半球部（半格納部）、１９：ポケット、２１：第２波形保持板（第２保持板）、２２：平坦部、２３：半球部（半格納部）、２４：爪、２４ａ：Ｒ部、２４ｂ：第１傾斜部、２４ｃ：第２傾斜部、２５：コーティング層、３０：第１折り曲げ金具、３１：傾斜面、３５：第２折り曲げ金具、３６：平坦面
【図１】
2013224706.tif 000003
【図２】
2013224706.tif 000004
【図３】
2013224706.tif 000005
【図４】
2013224706.tif 000006
【図５】
2013224706.tif 000007
【図６】
2013224706.tif 000008